【手続補正書】
【提出日】平成20年9月10日(2008.9.10)
【手続補正１】
【補正対象書類名】明細書
【補正対象項目名】特許請求の範囲
【補正方法】変更
【補正の内容】
【特許請求の範囲】
【請求項１】  コンテナ用壁構造体であって、
前記壁構造体の上面の近くに位置すると共に前記上面にほぼ平行に配置され前記壁構造体の長さの少なくとも一部にわたって延びる、少なくとも１つのバンド部材を有し、
前記少なくとも１つのバンド部材は、複数の第１のピークと、隣接し且つ反対側に配置された第２のピークと、前記複数の第１のピークと前記第２のピークとの間に延びる傾斜部材とを備えた波形断面を有し、
前記波形断面の複数の第１のピークは、前記壁構造体の第１の表面を構成し、前記波形断面の反対側に配置された第２のピークは、前記壁構造体の第２の表面を構成する、
ことを特徴とする壁構造体。
【請求項２】  前記第１のピークは、丸い輪郭を有する、請求項１に記載の壁構造体。
【請求項３】  前記第１のピークは、平らな輪郭を有する、請求項１に記載の壁構造体。
【請求項４】  前記第１のピークのうち隣り合うものは、これらの間に第１の凹部を構成し、前記第１の凹部は、反対側に配置された第２のピークを構成する、請求項１に記載の壁構造体。
【請求項５】  前記第２のピークのうち隣り合うものは、これらの間に第２の凹部を構成し、前記第２の凹部は、第１のピークを構成する、請求項１に記載の壁構造体。
【請求項６】  前記少なくとも１つのバンド部材は、互いに平行に配置された複数のバンド部材を含む、請求項１に記載の壁構造体。
【請求項７】  前記少なくとも１つのバンド部材は、前記壁構造体の上縁部の近くに設けられている、請求項１に記載の壁構造体。
【請求項８】  コンテナ用一体形壁形成体であって、
内面及び外面を有し、
前記内面と前記外面との間に連続の波形部材が延び、
前記波形部材の平らな内側ピークが、前記内面と同一平面内に位置し、
前記波形部材の平らな外側ピークが、前記外面と同一平面内に位置するようになっている、
ことを特徴とする壁成形体。
【請求項９】  コンテナ用壁構造体であって、
積み荷を支持するように構成された上縁部を備え、複数の交互に配置された内向きのプラトー部及び外向きの凹部で構成され上縁部の近くに位置する内面部分を有する壁部材を備え、
前記複数の交互に配置された内向きのプラトー部と外向きの凹部は、複数の交互に配置された内向きの凹部と外向きのプラトー部を、それぞれ、有する、対応する外面を構成する、
ことを特徴とする壁構造体。
【請求項１０】  コンテナ用壁構造体であって、
軸線方向バンド部分が形成された壁部材を有し、
前記バンド部分は、１対のほぼ平らな第１及び第２の表面、及び前記第１の表面と第２の表面との間に延びる起伏部材を有し、
前記起伏部材は、平らな輪郭を持つ複数のピークを有し、
前記起伏部材のほぼ半分は、前記第１及び第２の表面の各々と、前記第１の表面と第２の表面との中間に位置した状態でこれに平行に配置された平面との間に設けられている、
ことを特徴とする壁構造体。
【請求項１１】  コンテナ用壁形成体であって、
上縁部と、１対の反対側に配置された側縁部と、
前記上縁部の近くに位置していて、連続した直線状アレイをなす交互に配置されたピークと凹部を備えた内面及び外面とを有し、
前記連続した直線状アレイをなす交互に配置されたピークと凹部は、１対の反対側に配置された側縁部間に延び、前記ピークは、平らな輪郭を有する、
ことを特徴とする壁形成体。
【請求項１２】  コンテナ用の直立した側壁形成体であって、
内面と、外面と、上縁部と、下縁部と、上縁部に近接してこれに平行な少なくとも１つのバンド部分とを有し、
前記少なくとも１つのバンド部分は、内面と外面との間に一様な材料分布をもたらすよう階段状波形断面を有し、
前記壁形成体は、前記下縁部の近くに複数の通気孔を更に含む、
ことを特徴とする壁形成体。
【請求項１３】  前記壁形成体は、前記少なくとも１つのバンド部分の下に位置した取っ手孔を更に有する、請求項１２に記載の壁形成体。
【請求項１４】  前記壁形成体の表面積の約６％は、前記取っ手孔及び複数の通気孔から成る、請求項１３に記載の壁形成体。
【請求項１５】  中央壁部分を更に有し、前記少なくとも１つのバンド部分は、前記中央壁部分の上に位置し、前記複数の通気孔は、前記中央壁部分の下で前記壁形成体に設けられている、請求項１２に記載の直立壁形成体。
【請求項１６】  コンテナ用側壁形成体であって、
上方部分と、中央部分と、前記中央部分に近接した下縁部を有する下方部分とを有し、
前記壁形成体は、前記上方部分に設けられた取っ手孔、前記下方部分に設けられた複数の通気孔及び中実の中央部分を有する、
ことを特徴とする側壁形成体。
【請求項１７】  前記取っ手孔及び通気孔は、前記壁形成体の表面積の約６％を占める、請求項１６に記載の側壁形成体。
【請求項１８】  コンテナであって、
ベースと、
前記ベースの周囲から延びる複数の壁と、を有し、
前記壁の少なくとも１つは、前記少なくとも１つの壁の上縁部の近くの第１の細長いバンド及び第２の細長いバンドを含み、
前記第１及び第２のバンドは、各々、前記少なくとも１つの壁と一体成形された、複数の交互に配置された第１及び第２の部分を含み、
前記第１のバンドの第１の部分は、前記少なくとも１つの壁の内面に近接し且つ前記少なくとも１つの壁の外面の凹部を構成し、前記第１のバンドの第２の部分は、前記少なくとも１つの壁の外面に近接し且つ前記少なくとも１つの壁の内面の凹部を構成し、
前記第１のバンドの第１の部分及び第２の部分は、サイズがほぼ等しく、上縁部から等距離であり、
前記第２のバンドの第１の部分は、前記少なくとも１つの壁の内面に近接し且つ前記少なくとも１つの外面の凹部を構成し、前記第２のバンドの第２の部分は、前記少なくとも１つの壁の外面に近接し且つ前記少なくとも１つの壁の内面を構成し、
前記第２のバンドの第１の部分は、前記第１のバンドの第２の部分とほぼ整列され、前記第２のバンドの第２の部分は、前記第１のバンドの第１の部分とほぼ整列される、
ことを特徴とするコンテナ。
【請求項１９】  前記少なくとも１つの壁は、前記ベースにほぼ平行な折り畳まれた位置と前記ベースにほぼ垂直な使用位置との間で移動できるように、ヒンジで動くことができるように下縁部でベースに連結されている、請求項１８に記載のコンテナ。
【請求項２０】  前記第１のバンドは、前記少なくとも１つの壁の１つの実質的に側縁部から、前記少なくとも１つの壁の反対側の実質的に側縁部まで延びる、請求項１８に記載のコンテナ。
【請求項２１】  前記第１のバンドは、各々が、前記第１の部分と１つと前記第２の部分の１つとの間に配置された複数の移行部分を含む、請求項１８に記載のコンテナ。
【請求項２２】  前記複数の移行部分は、各々、前記第１あるいは第２の部分の一方の前方縁部から、前記第１あるいは第２の部分の他方の後方縁部まで延びる、請求項２１に記載のコンテナ。
【請求項２３】  前記複数の移行部分は、前記第１の部分と平行でも垂直でもなく、前記複数の移行部分は、前記第２の部分と平行でも垂直でもない、請求項２１に記載のコンテナ。
【請求項２４】  前記第１の部分の各々の少なくとも一部分は、前記少なくとも１つの壁の内面とほぼ同一平面にある、請求項１８に記載のコンテナ。
【請求項２５】  前記第２の部分の各々の少なくとも一部分は、前記少なくとも１つの壁の外面とほぼ同一平面にある、請求項２４に記載のコンテナ。
【請求項２６】  前記第１のバンドは、ほぼ波形の断面を有する、請求項２５に記載のコンテナ。
【請求項２７】  前記複数の壁は、対向する壁の第１の対と、第２の対の壁と、を有し、
前記第２の対の壁は、前記対向する壁の第１の対よりも長く、
前記少なくとも１つの壁が、前記第２の対の壁を有する、
請求項１８に記載のコンテナ。
【請求項２８】  前記第１のバンドの半分は、前記少なくとも１つの壁の内面及び外面の各々と、前記少なくとも１つの壁の内面と外面との中間に位置した状態でこれに平行に配置された平面と、の間に配置される、請求項１８に記載のコンテナ。
【請求項２９】  折り畳みできるコンテナであって、
ベースと、
各々が、ヒンジで動くことができるように下縁部で前記ベースに連結され、且つ、前記ベースにほぼ平行な折り畳まれた位置と前記ベースにほぼ垂直な使用位置との間で移動できる複数の壁と、を有し、
前記壁の少なくとも２つは、各々、前記壁の上縁部に近接して前記壁を側方に横切って延びる第１のバンド部分を含み、
前記第１のバンド部分は、前記少なくとも２つの壁の外面で交互に配置された内向きの凹部及び外向きのピークのそれぞれを形成する、内面の交互に配置された内向きのピーク及び外向きの凹部を含み、
前記壁の少なくとも２つは、各々、前記第１のバンド部分のピーク及び凹部と位相がずれたピーク及び凹部を有する第２のバンドを更に含み、
前記第２のバンド部分は、前記第１のバンド部分よりも上縁部から更に離れている、
ことを特徴とする折り畳みできるコンテナ。
【請求項３０】  前記ピークは、ほぼ丸い輪郭を有する、請求項２９に記載の折り畳みできるコンテナ。
【請求項３１】  前記ピークは、ほぼ平らな輪郭を有する、請求項２９に記載の折り畳みできるコンテナ。
【請求項３２】  前記内向きのピークは、前記壁の内面によって構成された面まで延びる、請求項２９に記載の折り畳みできるコンテナ。
【請求項３３】  前記外向きのピークは、前記壁の外面によって構成された面まで延びる、請求項３２に記載の折り畳みできるコンテナ。
【請求項３４】  折り畳みできるコンテナであって、
ベースと、
前記ベースの周囲から上方に延びる複数の壁と、を有し、
前記壁の少なくとも１つは、前記少なくとも１つの壁の上縁部の近くに設けられ、且つ、前記少なくとも１つの壁の実質的に側縁部から前記少なくとも１つの壁の反対側の実質的に側縁部まで長手方向に延びる少なくとも１つの細長いバンドを含み、
前記少なくとも１つのバンドは、前記少なくとも１つの壁と一体成形された、長手方向に交互に配置された複数の単一壁の第１の部分及び単一壁の第２の部分を含み、
前記第１の部分は、前記第２の部分と等しい長手方向長さを有し、
前記第１の部分の各々の少なくとも一部分は、前記少なくとも１つの壁の内面によって構成された面にほぼ達し、前記第２の部分の各々の少なくとも一部分は、前記少なくとも１つの壁の外面によって構成された面にほぼ達する、
ことを特徴とする折り畳みできるコンテナ。
【請求項３５】  前記少なくとも１つのバンドは、各々が、前記第１の部分の１つと前記第２の部分の１つとの間に配置された複数の移行部分を含む、請求項３４に記載の折り畳みできるコンテナ。
【請求項３６】  前記複数の移行部分は、各々、前記第１あるいは第２の部分の一方の前方縁部から、前記第１あるいは第２の部分の他方の後方縁部まで延びる、請求項３５に記載のコンテナ。
【請求項３７】  前記複数の移行部分は、前記第１の部分に平行でも垂直でもなく、前記複数の移行部分は、前記第２の部分に平行でも垂直でもない、請求項３５に記載のコンテナ。
【請求項３８】  前記複数の壁は、前記ベースにほぼ平行な折り畳まれた位置と前記ベースにほぼ垂直な使用位置との間で移動できるように、ヒンジで動くことができるように下縁部が前記ベースに連結される、請求項３４に記載のコンテナ。